(57)【要約】【課題】ハンドルの操作性を向上させて熟練を要さずにシートの巻取り・巻戻しが楽にできる温室のシート巻取り装置を提供すること。【解決手段】ブレーキ内蔵の伝動部４０を備えた左右のフレーム５・５の片側に入力軸６、他方に出力軸７を突設し、入力軸にハンドル２の一端を取り付けるとともに出力軸にシート３の巻取りパイプ４を取り付ける。フレーム５内に、ガイド支柱１に接して転動する回転ローラ８を軸支し、入力軸６側のフレームに、主ギアと従ギアからなる駆動側の第一ギア群１０と、主ギアと従ギアからなる被動側の第二ギア群２０からなる変速ギア装置Ａを内包した枠体３０を固着する。【選択図】図１
2019004859.tif 000002
【特許請求の範囲】
【請求項１】
中央にブレーキ内蔵の伝動部を備えた左右のフレームの片側に入力軸、他方に出力軸を突設し、入力軸にハンドルの一端を取り付けるとともに出力軸にシートの巻取りパイプを取り付け、前記フレーム内の上下部に、温室の外側に立設したガイド支柱に接して転動する回転ローラを軸支し、前記入力軸側のフレームに、主ギアと従ギアからなる駆動側の第一ギア群と、主ギアと従ギアからなる被動側の第二ギア群からなる変速ギア装置を内包した枠体を固着し、第一ギア群と第二ギア群のいずれも小ギアと大ギアを咬合したものであって、その配列が第一ギア群と第二ギア群では齟齬する組み合わせであり、なおかつ第一と第二ギア群の従ギア同士がフレームに回転軸支され、しかしてハンドルを操作すると入力軸の回転に伴って第一ギア群が駆動するとともに第二ギア群が変速作動し、伝動部を介して巻取りパイプが正逆回転してシートを巻取り巻き戻すことを特徴とする温室のシート巻取り装置。
【発明の詳細な説明】
【技術分野】
【０００１】  本発明は操作性の良い温室のシート巻取り装置に関する。
【背景技術】
【０００２】  植物育成用の温室には、天井、側面、妻面にビニールシートが被覆され、該シートは開閉自在とされて遮光、空気流通、温度調整等が図られている。一般的なものとしては、温室の外側近傍に固定した支柱に巻取り装置を上下方向移動自在に取り付けたものが知られている。この巻取り装置はハンドルを操作するとシートを巻装した巻取軸が正逆回転してシートを巻取り、巻き戻すものであり、それにより温室の所要個所が開閉される仕組みであって、この手法は古くから現在に至るまで踏襲されているが、手作業でハンドルを回す場合は温室の大小、高低によって必ずしもスムーズに作動できるものではなく、操作に熟練を要したり、シートの開閉が所期するほど容易にはなされないといった問題も少なくない。【０００３】  そしてこのような問題解決を目的としたものとして例えば特許文献１には温室のビニルシート開閉装置用ガイド部材が開示され、また特許文献２には温室用シートの巻取り装置が開示されている。
【先行技術文献】
【特許文献】
【０００４】
【特許文献１】実用新案登録第２５６９５７８号公報
【特許文献２】特開２００２−１０１７６７号公報
【発明の概要】
【発明が解決しようとする課題】
【０００５】  特許文献１に示された温室のビニルシート開閉装置用ガイド部材は、従来の円筒状ガイドローラに変えて二組のガイドローラの一方を略そろばん玉状のローラ部材で構成することを特徴とし、これによりビニルシートの巻き遅れ等により横ねじれが生じても、ガイドパイプへのかみつきの発生を防止することができるというものである。そろばん玉状のローラ部材がガイドパイプに接したときに軽快に転動するためかみつきの防止に有効であることは認められるが、大型の温室におけるシートの巻取りにはハンドルを操作する際に重い負荷がかかることも考慮されなければならないところ、文献１ではこの点の機能まで備えているとは言いがたい。【０００６】  特許文献２に示された巻取り装置は、巻き上げ動作時に必要となる操作力を軽減するというものであり、そのためにハンドルが伸縮可能に設けられ、ハンドルを伸長させた状態で回転操作することにより回転半径が大きくなることを特徴としているが、この技術によると、シートを巻き上げるときのスピードと、シートを巻き戻すスピードが同一に設定されているため巻き戻しの所要時間が長くなるという不利と、ハンドルの腕の長さによっては作業者の体に触れやすく操作しづらいといった問題もある。【０００７】  本発明は上記した従来技術に鑑みてなされたもので、温室の大小にかかわらず従来通りのハンドル操作でありながら作業者に負担とならず容易に巻取り・巻戻しができるため熟練を要さずにシートの開閉ができ、安価な素材を用いても耐久性に優れる巻取り装置を提供しようとするものである。
【課題を解決するための手段】
【０００８】  すなわち本発明は、中央にブレーキ内蔵の伝動部を備えた左右のフレームの片側に入力軸、他方に出力軸を突設し、入力軸にハンドルの一端を取り付けるとともに出力軸にシートの巻取りパイプを取り付け、前記フレーム内の上下部に、温室の外側に立設したガイド支柱に接して転動する回転ローラを軸支し、前記入力軸側のフレームに、主ギアと従ギアからなる駆動側の第一ギア群と、主ギアと従ギアからなる被動側の第二ギア群からなる変速ギア装置を内包した枠体を固着し、第一ギア群と第二ギア群のいずれも小ギアと大ギアを咬合したものであって、その配列が第一ギア群と第二ギア群では齟齬する組み合わせであり、なおかつ第一と第二ギア群の従ギア同士がフレームに回転軸支され、しかしてハンドルを操作すると入力軸の回転に伴って第一ギア群が駆動するとともに第二ギア群が変速作動し、伝動部を介して巻取りパイプが正逆回転してシートを巻取り巻き戻すことを特徴としている。
【発明の効果】
【０００９】  ハンドルを操作すると入力軸が回動して枠体内の夫々のギアによる変速機能が働いて伝動部への回転伝達の負荷が軽減されて巻取りパイプの回転が頗る軽快となる。したがって大型の温室シートといえども作業者に重い負担となることがなく熟練を要さずに操作することができ、しかもギアの作動に無駄がないため装置は堅牢で十分に強度を保つことが可能で故障の発生を抑えることができ、そのため高価な素材、例えば焼結金属であれば申し分はないが、コスト面を考慮して亜鉛ダイカストを用いたとしても支障がなく、所期する目的を達成できて安価量産に好適するものである。
【図面の簡単な説明】
【００１０】
【図１】本発明全体の概略図である。
【図２】本発明の一部平面図である。
【図３】変速ギア装置を示し、（ａ）は側面、（ｂ）は正面から見た説明図である。
【図４】伝動部を示し、（ａ）はケーシングの断面、（ｂ）は分解図である。
【発明を実施するための形態】
【００１１】  図面を参照して本発明を説明すると、図１は全体の概略を、図２は一部を示したもので、１は温室（図を省略）の妻面近傍に立設したガイド支柱であり、この支柱１に沿って巻取り装置全体が上下移動し、クランク状ハンドル２を操作することによりシート３が巻取りパイプ４の回転によって巻取り巻戻しされるが、この動作自体は従来周知の手法と大差はない。
【００１２】  巻取り装置は中央に伝動部４０を備えた左右のフレーム５・５の片側（図では右側）に入力軸６、他方（図では左側）に出力軸７を突設させ、出力軸７にシート３を巻回する巻取りパイプ４が取り付けられている。またガイド支柱１に沿って全体がスムーズに上下移動するように支柱１に接する回転ローラ８が左右のフレーム５・５内に軸支されている。回転ローラ８は図示のようにそろばん玉を対設したと略同形のものを二個一対としてフレーム５・５の上下に夫々配置したものであるから、それら回転ローラ８はガイド支柱１に接して巻取り装置の昇降移動時に軽快に転動する。
【００１３】  前記入力軸６側のフレーム５には駆動側の第一ギア群１０と、被動側の第二ギア群２０からなる変速ギア装置Ａが平面視コ字形の枠体３０で囲繞され、該枠体は端部の屈曲個所３１をフレーム５にビス３２で固着してある。
【００１４】  図３は変速ギア装置Ａの説明図であって、（ａ）は側面の概略、（ｂ）は正面から見た概略を示す。第一ギア群１０は入力軸６と連動する中心位置の主ギアである小ギア１１と、該小ギアと咬合する従ギアである大ギア１２とで構成され、第二ギア群２０ではギアの組み合わせが第一ギア群１０とは齟齬し中心位置に大ギア２１が位置する。因みに小ギア１１の歯数を１６個とすると大ギアの歯数は２２個（第一ギア群の変速比１．３７５）となり、この歯数は第二ギア群２０の小ギア２２とそれに咬合する大ギア２１にも妥当させることができるが必ずしも歯数に拘束されるものではない。そして第一ギア群１０と第二ギア群２０の従ギア同士は同軸上にあり、夫々がフレーム５にビス２３で回転軸支されているため第一ギア群１０の小ギア１１とともに従ギアである大ギア１２が回転すると、第二ギア群２０の小ギア２２も回転し、これに咬合する第二ギア群２０の中心位置にある大ギア２１が変速回転する仕組みであり、程よい回転トルクとなった動きが伝動部４０を介して出力軸７を回転させる。
【００１５】  しかして伝動部４０は、入力軸６からの回転トルクを出力軸７側に及ぼしブレーキ機能を発揮するために存在するものであるが、本発明実施のうえでは従来の伝動切り替え機構、例えば図４に示す構造のものとすることができる。すなわち伝動部４０における殻体４１内面に筒状ケーシング４２があり、ケーシング４２内部に入力側の作動軸４３と出力軸７、及びこの作動軸４３と出力軸７に跨って螺旋状のバネ部材４４が設けられている。このバネ部材４４は入力軸６から変速ギア装置Ａを通って回転伝達された作動軸４３と連動してバネ部材４４が巻き締められて縮径しケーシング４２内で回転する。
【００１６】  作動軸４３は内端部にその外周面に沿って所定の幅で作動介入片４３を突設し、出力軸７の内端部にも前記作動介入片４３に対面する形で所定の幅の出力介入片７が突出している。作動軸４３と出力軸７を同軸上に配置すると、作動介入片４３と出力介入片７が同一円周上に配置され、作動軸４３の内端部と出力軸７の内端部を対設したときに作動介入片４３の先端が出力側の内端部に当接し、また出力側の介入片の先端が入力側の内端部に接する仕組みとなるように作動軸４３と出力軸７がケーシング４２内に組み込まれる。
【００１７】  そしてバネ部材４４の両端を内向きに屈曲して形成された鉤部４４の各内側面間に作動軸４３の作動介入片４３が臨み、鉤部４４の各外側面間に出力軸７の出力介入片７が臨む構成をとるので、作動軸４３が回転すると、介入片４３の側端面が鉤部４４の内側面に当接するためバネ部材４４を巻き締め、前記したようにバネ部材４４は縮径してケーシング４２内で回転する。バネ部材４４が回転すると鉤部４４が出力介入片７の側端面に当接して出力軸７が作動軸４３と同方向に回転するので、出力軸７と連動し巻取りパイプ４が回転してシート３の巻取り・巻戻しがなされる。
【００１８】  シート３を所定位置に設定するときに、なおも作動軸４３に回転力が加わった場合は、作動介入片４３の側端面のいずれかがバネ部材４４の鉤部のいずれかの外側面に当接して押圧する。このためバネ部材４４は巻き戻されて拡径し、その外面がケーシング４２の内面を押圧するブレーキ機能が発揮されて作動軸４３の回転は阻止され、回転力は出力軸７に伝達されないですみ巻取りパイプ４は停止位置を不動状ものとする。
【００１９】  本発明の巻取り装置はフレーム５に変速ギア装置Ａを取り付けたことを特徴とするものであるから複数個のギアを用いるものではあるが、その構成は複雑なものではないため組み立て製作上頗るシンプルなものであって遊星ギアでは達成できない２対１の比率組み合わせを容易にすることで強度を持たせることも可能とした。また回転ローラ８を図示のような形態にすると効果的な動きをするが、この回転ローラ形状、枠体３０、変速ギア装置Ａ、伝動部４０におけるブレーキ手段などは一例であり、また枠体３０にカバーを取り付けることなど本考案の目的効果を奏する範囲におけるそれらの変更事項も本発明の実施の範疇に属すること勿論である。
【符号の説明】
【００２０】  １    ガイド支柱
２    ハンドル
３    シート
４    巻取りパイプ
５    フレーム
６    入力軸
７    出力軸
８    回転ローラ
１０  第一ギア群
２０  第二ギア群
Ａ    変速ギア装置
３０  枠体
４０  伝動部
【図１】
2019004859.tif 000003
【図２】
2019004859.tif 000004
【図３】
2019004859.tif 000005
【図４】
2019004859.tif 000006